(57)【要約】 【課題】画像の表示品質を向上させるためのバックライトアセンブリ及びそれを有する表示装置を提供する。【解決手段】バックライトアセンブリは、収納容器、複数のランプ及びランプ支持部材を含む。収納容器は底部及び側部を含んで収納空間を形成する。複数のランプは収納容器の内部に互いに並行に配置され光を発生する。ランプ支持部材は収納容器の内部に配置され、ランプを支持するサポートランプリング及びサポートランプリングと結合され前記サポートランプリングを固定するサポートプレートを含む。このようにランプがランプ支持部材によって最小限の面積で接触されるように支持されることにより、ランプが局部的に温度が低下されることを防止して画像の表示品質をより向上させることができる。【選択図】図２
2007115693.tif 000002
【特許請求の範囲】
【請求項１】
底部及び側部を含み収納空間を形成する収納容器と、
前記収納容器の内部に互いに並行に配置され光を発生する複数のランプと、
前記収納容器の内部に配置され、前記ランプを支持するサポートランプリング、及び前記サポートランプリングと結合され前記サポートランプリングを固定させるサポートプレートを具備するランプ支持部材と、
を含むことを特徴とするバックライトアセンブリ。
【請求項２】
前記サポートランプリングは、
前記ランプと交差される方向に形成されたランプリング本体部と、
前記ランプリング本体部の上面に突出され、前記ランプを取り囲むようにリング形状を有するランプリング部と、を含むことを特徴とする請求項１記載のバックライトアセンブリ。
【請求項３】
前記サポートランプリングは、前記ランプリング部の下部に形成され前記ランプリング部を所定の間隔に分離させるスリット部をさらに含むことを特徴とする請求項２記載のバックライトアセンブリ。
【請求項４】
前記ランプリング部のリング形状は前記ランプリング本体部と並行な方向への第１内側直径、及び前記ランプリング本体部と垂直な方向への第２内側直径を有し、
前記第１内側直径は前記第２内側直径より大きいか同じであることを特徴とする請求項２記載のバックライトアセンブリ。
【請求項５】
前記第２内側直径は、前記ランプの直径より大きいことを特徴とする請求項４記載のバックライトアセンブリ。
【請求項６】
前記第１内側直径は、前記ランプの直径に１．５ｍｍを足した長さより大きいか同じであることを特徴とする請求項４記載のバックライトアセンブリ。
【請求項７】
前記ランプリング部には、前記ランプリング本体部と並行な方向に突出され、前記ランプを支持する支持突起が形成されることを特徴とする請求項２記載のバックライトアセンブリ。
【請求項８】
前記支持突起の突出された長さは、０．５ｍｍ〜１．５ｍｍの範囲を有することを特徴とする請求項７記載のバックライトアセンブリ。  
【請求項９】
各ランプリング部に形成された支持突起は、互いに同一の方向に形成されることを特徴とする請求項７記載のバックライトアセンブリ。
【請求項１０】
前記サポートプレートは、
前記ランプリング本体部と並行に形成され、前記ランプリング本体部と接するプレート本体部と、
前記プレート本体部の上面に形成され、前記プレート本体部を前記サポートランプリングに結合させるプレート結合部と、を含むことを特徴とする請求項２記載のバックライトアセンブリ。  
【請求項１１】
前記プレート結合部は、前記プレート本体部の両側エッジから突出され前記ランプリング本体部の端部に結合される結合リンクを含むことを特徴とする請求項１０記載のバックライトアセンブリ。
【請求項１２】
前記結合リンクは、Ｕ字形状を有することを特徴とする請求項１１記載のバックライトアセンブリ。
【請求項１３】
前記ランプリング本体部には、結合ホール及び結合溝が形成され、
前記プレート結合部は前記結合ホールと結合される第１結合突起、及び前記結合溝に挿入される第２結合突起を含むことを特徴とする請求項１０記載のバックライトアセンブリ。
【請求項１４】
前記第２結合突起は、前記ランプリング部と対応する位置に形成されることを特徴とする請求項１３記載のバックライトアセンブリ。
【請求項１５】
前記サポートプレートは、前記プレート本体部の下面に突出され、前記収納容器の底部と結合され前記サポートプレートを固定させる固定突起部をさらに含むことを特徴とする請求項１０記載のバックライトアセンブリ。
【請求項１６】
前記ランプの上部に配置され前記ランプから発生された光を拡散させる拡散板をさらに含み、
前記サポートプレートは前記プレート本体部の上面に突出され前記拡散板を支持する拡散板支持部をさらに含むことを特徴とする請求項１０記載のバックライトアセンブリ。
【請求項１７】
前記サポートランプリングは、延性を有することを特徴とする請求項１記載のバックライトアセンブリ。
【請求項１８】
前記サポートランプリングは、光を透過する性質を有することを特徴とする請求項１記載のバックライトアセンブリ。
【請求項１９】
前記サポートランプリングは、シリコン材質からなることを特徴とする請求項１記載のバックライトアセンブリ。
【請求項２０】
前記サポートプレートには、前記サポートランプリングと結合するためのガイド溝が形成されることを特徴とする請求項１記載のバックライトアセンブリ。
【請求項２１】
前記サポートランプリングには、
内側周りに前記ランプと接触する固定突起が形成されたランプリング部と、
前記ランプリング部と一体に形成され、前記ガイド溝と結合されるランプリング本体部と、を含むことを特徴とする請求項２０記載のバックライトアセンブリ。
【請求項２２】
前記ガイド溝は前記サポートプレートの一側エッジが開口され、前記一側エッジと対向する他側エッジに向かって形成され、
前記ランプリング本体部は前記一側エッジから前記ランプの長さ方向に沿ってスライドされ前記ガイド溝と結合されることを特徴とする請求項２１記載のバックライトアセンブリ。
【請求項２３】
前記固定突起は、前記ランプの長さ方向に垂直な方向に形成されることを特徴とする請求項２１記載のバックライトアセンブリ。
【請求項２４】
底部及び側部を含み収納空間を形成する収納容器と、
前記収納容器の内部に互いに並行に配置され光を発生する複数のランプと、
前記収納容器の内部に配置され前記ランプと交差する方向に形成された支持本体部、及び前記支持本体部の上面から突出され前記ランプを取り囲むようにリング形状をランプリング部を具備するランプ支持部材と、
を含むことを特徴とするバックライトアセンブリ。
【請求項２５】
前記ランプリングには、前記収納容器の底部と並行な方向に突出され、前記ランプを支持する支持突起が形成されることを特徴とする請求項２４記載のバックライトアセンブリ。
【請求項２６】
前記ランプ支持部材は、前記ランプリング部の下部に形成され前記ランプリング部を所定の間隔に分離させるスリット部をさらに含むことを特徴とする請求項２４記載のバックライトアセンブリ。
【請求項２７】
前記ランプ支持部材は、前記支持本体部の下面に突出して形成され、前記収納容器の底部と結合され前記ランプ支持部材を固定させる固定突起部をさらに含むことを特徴とする請求項２４記載のバックライトアセンブリ。
【請求項２８】
前記ランプの上部に配置され前記ランプから発生された光を拡散させる拡散板をさらに含み、
前記ランプ支持部材は前記支持本体部の上面に突出され前記拡散板を支持する拡散板支持部をさらに含むことを特徴とする請求項２４記載のバックライトアセンブリ。
【請求項２９】
底部及び側部を含む収納容器と、前記収納容器の底部上に互いに並行に配置され光を発生する複数のランプと、底部に結合され前記ランプを固定するランプ支持部材とを含むバックライトアセンブリと、
前記バックライトアセンブリの上部に配置され、前記バックライトアセンブリから発生された光を用いた画像を表示する表示パネルと、
を含み、
前記ランプ支持部材は、
前記ランプを取り囲んで支持するサポートランプリングと、
前記サポートランプリングと結合され前記サポートランプリングを固定させるサポートプレートと、を含むことを特徴とする表示装置。
【発明の詳細な説明】
【技術分野】
【０００１】
本発明はバックライトアセンブリ及びそれを有する表示装置に関する。
【背景技術】
【０００２】
平面表示装置の一つである液晶表示装置は液晶の電気的及び光学的特性を用いて画像を表示する。前記液晶表示装置（ＬＣＤ）は他の表示装置に比べて薄くて軽く、低消費電力及び低駆動電圧で作動するという長所を有し産業全般に渡って多く使用されている。
【０００３】
前記液晶表示装置は、液晶の光透過率を用いて画像を表示する液晶表示パネル及び前記液晶表示パネルに光を提供するバックライトアセンブリで構成される。
【０００４】
前記液晶表示装置に採用されたバックライトアセンブリは、光を発生する光源の位置によって、エッジ型バックライトアセンブリ、及び直下型バックライトアセンブリで区分される。
【０００５】
前記エッジ型バックライトアセンブリは、光を発生するランプ、前記ランプと側面が向き合うように配置された導光板及び前記ランプと導光板とを収納する収納容器を含み、前記導光板の側面を介してランプから発生された光の経路をガイドして前記液晶表示パネルに出射する。
【０００６】
前記直下型バックライトアセンブリは、前記液晶表示パネルの下部に配置された複数個のランプ、前記ランプを収納する収納容器、前記ランプの上面に配置された拡散板、及び前記ランプの下面に配置された反射板を含む。前記ランプから発生された光を前記拡散板によって拡散され前記液晶表示パネルに入射される。
【０００７】
前記直下型バックライトアセンブリは、前記ランプを支持するためのランプ支持部材をさらに含む。一般的に、前記ランプは棒の円筒形状を有することにより、前記ランプ支持部材は前記ランプの一部を取り囲むためにＵ-字の輪形状を有する。このように、前記ランプ支持部材が前記ランプの一部を取り囲むことにより、前記ランプ支持部材は前記ランプの一部と広い面積で接触される。
【０００８】
しかし、前記ランプが前記ランプ支持部材と広い面積で接触する場合、前記ランプから発生された熱は前記接触部位を通じて前記ランプ支持部材に伝導される。このような前記接触部位を介した熱の伝導は、前記ランプの温度を局部的に低下させる。その結果、前記液晶表示装置には、暗部が発生するようになってしまう。結局、前記暗部の発生は前記液晶表示装置の表示品質を低下させる。
【発明の開示】
【発明が解決しようとする課題】
【０００９】
従って、本発明の技術的な課題はこのような従来の問題点を解決するために導出されたもので、画像の表示品質を向上可能なバックライトアセンブリを提供することにある。
【００１０】
また、本発明の他の目的は、前記したバックライトアセンブリを有する表示装置を提供することにある。
【課題を解決するための手段】
【００１１】
前記本発明１によるバックライトアセンブリは、収納容器、複数のランプ及び支持部材を含む。
【００１２】
前記収納容器は底部及び側部を含み収納空間を形成する。前記複数のランプは前記収納容器の内部に互いに並行に配置され光を発生する。前記ランプ支持部材は前記収納容器の内部に配置され、前記ランプを支持するサポートランプリング、及び前記サポートランプリングと結合され前記サポートランプリングを固定させるサポートプレートを含む。
【００１３】
従来、ランプ支持部材は、ランプを固定しつつランプの一部を取り囲むようにＵ-字の輪形状に形成されていた。つまり、Ｕ字状の底部及び開口部に沿ってランプが配置されており、ランプ支持部材とランプとが広い面積で接触している。しかし、本発明ではランプを支持するサポートランプリングはリング状を呈しているため、例えばサポートランプリングの内径をランプの外径よりも大きく形成した場合など、サポートランプリングとランプとの接触面積を減らすことができる。
【００１４】
このように、ランプがリング形状を有するランプ支持部材に部分的に支持されることにより、ランプとランプ支持部材は最小限の面積で互いに接触することができ、その結果、ランプが局部的に温度が低下されて輝度不均一が発生することを防止することができる。
【００１５】
発明２は、発明１において、前記サポートランプリングは、前記ランプと交差される方向に形成されたランプリング本体部と、前記ランプリング本体部の上面に突出され、前記ランプを取り囲むようにリング形状を有するランプリング部と、を含むことを特徴とする。
【００１６】
発明３は、発明２において、前記サポートランプリングは、前記ランプリング部の下部に形成され前記ランプリング部を所定の間隔に分離させるスリット部をさらに含むことを特徴とする。
【００１７】
ランプリング部の下部が２つの部分に分離されスリット部が形成されることにより、外部から印加された衝撃はスリット部によって吸収でき、それにより前記衝撃がランプに印加されることをさらに防止することができる。また、スリット部が設けられることによっても、スリット部ではランプの接触がないため、ランプリング部とランプとの接触面積を減らすことができ好ましい。また、スリット部上にランプが載置される場合には、ランプを安定に載置することも可能である。
【００１８】
発明４は、発明２において、前記ランプリング部のリング形状は前記ランプリング本体部と並行な方向への第１内側直径、及び前記ランプリング本体部と垂直な方向への第２内側直径を有し、前記第１内側直径は前記第２内側直径より大きいか同じであることを特徴とする。
【００１９】
発明５は、発明４において、前記第２内側直径は、前記ランプの直径より大きいことを特徴とする。
【００２０】
第２内側直径がランプの直径Ｄより大きいと、ランプリング部とランプとの接触面積を減らすことができ好ましい。
【００２１】
発明６は、発明５において、前記第１内側直径は、前記ランプの直径に１．５ｍｍを足した長さより大きいか同じであることを特徴とする。
【００２２】
発明７は、発明２において、前記ランプリング部には、前記ランプリング本体部と並行な方向に突出され、前記ランプを支持する支持突起が形成されることを特徴とする。
【００２３】
ランプリング部の内側に支持突起が形成されることにより、ランプはランプリング部の中央部位に配置されることができる。また、支持突起によっても、ランプリング部とランプとの接触面積が最小化されている。
【００２４】
発明８は、発明７において、前記支持突起の突出された長さは、０．５ｍｍ〜１．５ｍｍの範囲を有することを特徴とする。
【００２５】
発明９は、発明１において、各ランプリング部に形成された支持突起は、互いに同一の方向に形成されることを特徴とする。
【００２６】
発明１０は、発明２において、前記サポートプレートは、前記ランプリング本体部と並行に形成され、前記ランプリング本体部と接するプレート本体部と、前記プレート本体部の上面に形成され、前記プレート本体部を前記サポートランプリングに結合させるプレート結合部と、を含むことを特徴とする。
【００２７】
発明１１は、発明１０において、前記プレート結合部は、前記プレート本体部の両側エッジから突出され前記ランプリング本体部の端部に結合される結合リンクを含むことを特徴とする。
【００２８】
結合リンクにより、ランプリング本体部の端部を固定し、ランプリング本体部とプレート本体部とを結合することができる。
【００２９】
発明１２は、発明１１において、前記結合リンクは、Ｕ字形状を有することを特徴とする。
【００３０】
発明１３は、発明１０において、前記ランプリング本体部には、結合ホール及び結合溝が形成され、前記プレート結合部は前記結合ホールと結合される第１結合突起、及び前記結合溝に挿入される第２結合突起を含むことを特徴とする。
【００３１】
上記構成により、ランプリング本体部とプレート本体部とを強固に結合することができる。
【００３２】
発明１４は、発明１３において、前記第２結合突起は、前記ランプリング部と対応する位置に形成されることを特徴とする。
【００３３】
第２結合突起がランプリング部と対応する位置に形成されることで、ランプをの固定を安定にすることができる。
【００３４】
発明１５は、発明１０において、前記サポートプレートは、前記プレート本体部の下面に突出され、前記収納容器の底部と結合され前記サポートプレートを固定させる固定突起部をさらに含むことを特徴とする。
【００３５】
発明１６は、発明１０において、前記ランプの上部に配置され前記ランプから発生された光を拡散させる拡散板をさらに含み、前記サポートプレートは前記プレート本体部の上面に突出され前記拡散板を支持する拡散板支持部をさらに含むことを特徴とする。
【００３６】
発明１７は、発明１において、前記サポートランプリングは、延性を有することを特徴とする。
【００３７】
サポートランプリングはサポートプレートと容易に結合されるために延性を有することが望ましい。また、サポートランプリングが延性を有することで、外部から印加された衝撃がランプに移動することを防止することができる。
【００３８】
発明１８は、発明１において、前記サポートランプリングは、光を透過する性質を有することを特徴とする。
【００３９】
ランプから発生された光の移動経路を遮断しないように光を透過する性質を有するのが好ましい。
【００４０】
発明１９は、発明１において、前記サポートランプリングは、シリコン材質からなることを特徴とする。
【００４１】
発明２０は、発明１において、前記サポートプレートには、前記サポートランプリングと結合するためのガイド溝が形成されることを特徴とする。
【００４２】
発明２１は、発明２０において、前記サポートランプリングには、内側周りに前記ランプと接触する固定突起が形成されたランプリング部と、前記ランプリング部と一体に形成され、前記ガイド溝と結合されるランプリング本体部と、を含むことを特徴とする。
【００４３】
発明２２は、発明２１において、前記ガイド溝は前記サポートプレートの一側エッジが開口され、前記一側エッジと対向する他側エッジに向かって形成され、前記ランプリング本体部は前記一側エッジから前記ランプの長さ方向に沿ってスライドされ前記ガイド溝と結合されることを特徴とする。
【００４４】
発明２３は、発明２１において、前記固定突起は、前記ランプの長さ方向に垂直な方向に形成されることを特徴とする。
【００４５】
前記本発明２４によるバックライトアセンブリは、収納容器、複数のランプ及びランプ支持部材を含む。
【００４６】
前記収納容器は、底部及び側部を含んで収納空間を形成する。前記複数のランプは前記収納容器の内部に互いに並行に配置され光を発生する。前記ランプ支持部材は前記収納容器の内部に配置され前記ランプと交差する方向に形成された支持本体部、及び前記支持本体部の上面に突出され前記ランプを取り囲むようにリング形状を有するランプリング部を含む。
【００４７】
発明１と同様の作用効果を奏する。
【００４８】
発明２５は、発明２４において、前記ランプリングには、前記収納容器の底部と並行な方向に突出され、前記ランプを支持する支持突起が形成されることを特徴とする。
【００４９】
発明２６は、発明２４において、前記ランプ支持部材は、前記ランプリング部の下部に形成され前記ランプリング部を所定の間隔に分離させるスリット部をさらに含むことを特徴とする。
【００５０】
発明２７は、発明２４において、前記ランプ支持部材は、前記支持本体部の下面に突出して形成され、前記収納容器の底部と結合され前記ランプ支持部材を固定させる固定突起部をさらに含むことを特徴とする。
【００５１】
発明２８は、発明２４において、前記ランプの上部に配置され前記ランプから発生された光を拡散させる拡散板をさらに含み、前記ランプ支持部材は前記支持本体部の上面に突出され前記拡散板を支持する拡散板支持部をさらに含むことを特徴とする。
【００５２】
前記本発明２９による表示装置はバックライトアセンブリ及び表示パネルを含む。
【００５３】
前記バックライトアセンブリは底部及び側部を含む収納容器、前記収納容器の底部上に互いに並行に配置され光を発生する複数のランプ、及び前記底部に結合され前記ランプを固定するランプ支持部材を含む。前記ランプ支持部材は前記ランプを取り囲んで支持するサポートランプリング、及び前記サポートランプリングと結合され前記サポートランプリングを固定させるサポートプレートを含む。前記表示パネルは前記バックライトアセンブリの上部に配置され、前記バックライトアセンブリから発生された光を用いて画像を表示する。
【発明の効果】
【００５４】
このような本発明によると、画像の表示品質をより向上させることができるバックライトアセンブリを提供することができる。
【００５５】
ランプがランプ支持部材に部分的に支持されることにより、ランプとランプ支持部材は最小限の面積で互いに接触でき、その結果、ランプが局部的に温度が低下され輝度不均一が発生されることを防止して画像の表示品質をより向上させることができる。  
【発明を実施するための最良の形態】
【００５６】
以下、添付図面を参照して、本発明の好ましい実施形態をより詳細に説明する。
【００５７】
<バックライトアセンブリの第１実施例>
図１は本発明の第１実施例によるバックライトアセンブリを示した斜視図である。
【００５８】
図１を参照すると、本実施例によるバックライトアセンブリ７００は、収納容器１００、ランプ２００、サイドモールド３００、光学部材４００及びランプ支持部材５００を含み、光を上部に出射させる。
【００５９】
収納容器１００は底部１１０及び前記底部１１０のエッジから上方に延長された側部１２０を含み、底部１１０及び側部１２０によって収納空間が形成される。収納容器１１０はランプ２００、サイドモールド３００、光学部材４００及びランプ支持部材５００を収納する。収納容器１００の底部１１０には、ランプ支持部材５００が固定されるように、ランプ支持部材５００と結合される固定ホール（図示せず）が形成される。
【００６０】
ランプ２００は光を発生させる。一例で、ランプ２００は熱放出量が低く寿命の長い冷陰極蛍光ランプ（ＣＣＦＬ）である。ランプ２００はＸ軸方向に長く形成された棒形状を有する。ランプ２００は収納容器１００内に複数個が収納され、Ｙ軸方向に沿って並列に配置される。
【００６１】
一方、ランプ２００はＵ−字の棒形状を有するＵ−字形ランプであるか、外部に電極が配置された外部電極蛍光ランプＥＥＦＬ（External Electrode Fluorescent Lamp）であってもよい。
【００６２】
ランプ２００はランプ支持部材５００によって支持され、収納容器１００の底部１１０から所定距離離隔され配置される。ランプ２００は光が発生されるランプ本体及び電源が印加される電極（図示せず）を含む。
【００６３】
前記ランプ本体は円筒棒形状を有し、前記ランプ本体の内部には放電ガス（図示せず）が充填されており、前記ランプ本体の内壁には蛍光物質（図示せず）が形成されている。
【００６４】
前記電極は前記ランプ本体の両側端部に配置され、具体的に、前記両側端部の内部に配置される。この際、ランプ２００が外部電極蛍光ランプＥＥＦＬの場合、前記電極は前記ランプ本体の両側端部の外部に配置される。
【００６５】
前記電極は電極線（図示せず）によって外部のインバータ（（図示せず）から電源の供給を受ける。前記電極に前記電源が印加されると、前記電極は電子を発生させ、発生された電子は前記放電ガスと衝突し紫外線を放出させる。前記紫外線は前記蛍光物質によって可視光線に変更され前記ランプ本体の外部に放出される。
【００６６】
サイドモールド３００は収納容器１００内に互いに対向するように一対が配置され、ランプ２００の両側端部をカバーする。このように、サイドモールド３００はランプ２００の両側端部をカバーすることで、ランプ２００の両側端部に形成された前記電極を外部から保護する。サイドモールド３００は、一例で、Ｌ字形状またはＵ−字形状を有する。また、サイドモールド３００にはランプ２００の外面と結合されランプ２００を固定させるためのランプ固定溝３１０が形成される。図１に示すように、ランプ固定溝３１０にランプ２００が挿入されてランプ２００が固定される。
【００６７】
光学部材４００はランプ２００の上部に配置され、ランプ２００で発生された光の光学特性を向上させる。光学部材４００は、一例で、拡散板４１０及び光学シート類４２０を含む。
【００６８】
拡散板４１０はランプ２００の上部に配置され、ランプ２００で発生された光を拡散させる。拡散板４１０はプレート形状を有し、光を拡散させることができる合成樹脂からなり、一例で、ＰＭＭＡ（PolyMethyl  Methacrylate）からなる。拡散板４１０の両側端部はサイドモールド３００の上端に安着され、拡散板４１０の中間部位はランプ支持部材５００の拡散板支持部５２２によって支持される。
【００６９】
光学シート類４２０は拡散板４１０の上面に配置され、拡散板４１０を透過した光の光学特性を向上させる。光学シート類４２０は、例えば、反射と屈折を通じて光の垂直輝度を向上させる少なくとも一つのプリズムシートを含む。
【００７０】
ランプ支持部材５００は収納容器１００の内部に配置され、ランプ２００及び拡散板４１０を支持する。ランプ支持部材５００はサポートランプリング（Support  lamp  ring）５１０及びサポートプレート５２０を含む。
【００７１】
サポートランプリング５１０は、ランプ固定溝３１０により固定されていないランプ２００の中央が垂れないようにランプ２００を支持する。サポートランプリング５１０はランプ２００と最小限の面積で接触するようにリング形状を有することが望ましい。
【００７２】
サポートランプリング５１０はサポートプレート５２０と容易に結合されるために延性を有することが望ましく、ランプ２００から発生された光の移動経路を遮断しないように光を透過する性質を有し、例えば透明な材質から形成されることが望ましい。例えば、サポートランプリング５１０は透明で延性を有するシリコン材質からなる。
【００７３】
サポートプレート５２０はサポートランプリング５１０と結合されサポートランプリング５１０を固定させる。サポートプレート５２０は収納容器１００の底部１１０に配置され固定されることが望ましい。サポートプレート５２０は、例えば、剛性を有する合成樹脂からなることが望ましい。
【００７４】
以下、図面を用いて上述したランプ支持部材５００をより詳細に説明する。
【００７５】
図２は図１のバックライトアセンブリをＩ−Ｉ’線に沿って切断した断面図であり、図３は図２のＡ部分を拡大して示した断面図であり、図４は図１のバックライトアセンブリのうちランプ支持部材のみを抜粋して示した斜視図であり、図５は図４のランプ支持部材を分解して示した分解斜視図であり、図６は図５のランプ支持部材のうちサポートランプリングの背面を示した斜視図である。
【００７６】
図２乃至図６に示すように、本実施例によるランプ支持部材５００はサポートランプリング５１０及びサポートプレート５２０を含み、ランプ２００及び拡散板４１０を支持する。
【００７７】
サポートランプリング５１０はランプの中央が垂れないようにランプ２００を支持する。サポートランプリング５１０はランプリング本体部５１２、ランプリング部５１４及びスリット部５１６を含む。
【００７８】
ランプリング本体部５１２はＹ−軸方向に沿って長いプレート形状を有し、ランプ２００の長辺方向（Ｘ方向）と交差される方向に形成される。ランプリング本体部５１２には結合ホール５１２ａ（図３、図５、図６）、結合溝５１２ｂ（図６）及び拡散板結合ホール５１２ｃ（図５、図６）が形成される。この際、結合ホール５１２ａは後述される第１結合突起５２３と結合され、結合溝５１２ｂは後述される第２結合突起５２４と結合され、拡散板結合ホール５１２ｃは後述される拡散板支持部５２２と結合する。
【００７９】
ランプリング部５１４はランプリング本体部５１２の上面から複数個が突出して形成され、一例で、四つが形成される。ランプリング部５１４は、ランプ２００がその内部を貫通してランプ２００が支持されるようにリング形状を有する。この際、ランプリング部５１４のリング形状は、収納容器１００の底部１１０と並行な方向の第１内側直径Ａ１及び底部１１０に垂直な方向の第２内側直径Ａ２を有する。
【００８０】
第１内側直径Ａ１は第２内側直径Ａ２より大きいか同じであることが望ましく、第２内側直径Ａ２はランプ２００の直径Ｄより大きいことが望ましく、第１内側直径Ａ１はランプ２００の直径Ｄに１．５ｍｍを足した長さより大きいか同じであることが望ましい。第２内側直径Ａ２はランプ２００の直径Ｄより大きいと、ランプリング部５１４とランプ２００との接触面積を減らすことができ好ましい。また、第１内側直径Ａ１と第１内側直径Ａ２とを異ならせた場合、ランプリング部５１４により形成される空間は楕円形状になるため、空間がランプ２００と同様の円形状である場合よりも、ランプリング部５１４とランプ２００との接触面積を減らすことができ好ましい。
【００８１】
ランプリング部５１４には、図３に示すようにランプリング部５１４の内側面から収納容器１００の底部１１０と並行な方向に突出された支持突起５１４ａが形成される。支持突起５１４ａの端部はランプ２００の外面と接触しランプ２００を支持する。支持突起５１４ａの突出された長さは、載置されたランプ２００がランプリング部５１４の中央部に配置されるように設計され、例えば０．５ｍｍ〜１．５ｍｍの範囲を有し、約１ｍｍであることが望ましい。各ランプリング部５１４に形成された支持突起５１４ａは互いに同一の方向に形成されることが望ましい。例えば、支持突起５１４ａは、図３に示すように負のＹ軸方向に形成される。
【００８２】
このように、ランプリング部５１４がランプ２００の直径Ｄより大きく形成されたリング形状を有することにより、ランプリング部５１４はランプ２００と最小限の面積で接触されることができる。また、支持突起５１４ａによっても、ランプリング部５１４とランプ２００との接触面積が最小化されている。また、ランプリング部５１４の内側に支持突起５１４ａが形成されることにより、ランプ２００はランプリング部５１４の中央部位に配置されることができる。具体的に、バックライトアセンブリ７００が図３の＋Ｙ軸方向が下に向かうように配置される場合、ランプ２００には＋Ｙ軸方向の重力が働くが、ランプ２００は支持突起５１４ａによって支持され、ランプリング部５１４の中央部位に配置される。
【００８３】
スリット部５１６はランプリング部５１４の下部に形成され、ランプリング部５１４を所定の間隔に分離させる。即ち、ランプリング部５１４が内側面の下部中心から下方に２つの部分に分離されスリット部５１６が形成される。
【００８４】
スリット部５１６はランプリング部５１４の下部を２つの部分に分離させることで、外部の衝撃がランプ２００に移動することを防止する。
【００８５】
例を挙げて説明すると、外部の衝撃が収納容器１００の底部１１０を経由してランプ支持部材５００のサポートプレート５２０に印加され、サポートプレート５２０に印加された衝撃はサポートランプリング５１０のランプリング部５１４に移動してランプ２００に印加される。前記衝撃がランプ２００に印加される場合、ランプ２００はラトルノイズ（Ｒａｔｔｌｅ  Ｎｏｉｓｅ）のような不良を発生する。しかし、ランプリング部５１４の下部が２つの部分に分離されスリット部５１６が形成されることにより、外部から印加された衝撃はスリット部５１６によって吸収され、その結果、前記衝撃がランプ２００に印加されることを防止することができる。衝撃は、例えばスリット部５１６の弾力性により吸収される。
【００８６】
また、図３に示すように、スリット部５１６が設けられることによっても、スリット部５１６ではランプ２００の接触がないため、ランプリング部５１４とランプ２００との接触面積を減らすことができ好ましい。また、スリット部５１６上にランプが載置されることで、ランプを安定に載置することも可能である。
【００８７】
サポートプレート５２０は、サポートランプリング５１０と結合されサポートランプリング５１０を固定させる。サポートプレート５２０はプレート本体部５２１、拡散板支持部５２２、プレート結合部（５２３、５２４、５２５）及び固定突起部５２６を含む。
【００８８】
プレート本体部５２１は、Ｙ軸方向に沿って長いプレート形状を有し、ランプリング本体部５１２と並行に形成されランプリング本体部５１２と接する。
【００８９】
拡散板支持部５２２はプレート本体部５２１の上面に突出され、拡散板４１０を支持する。拡散板支持部５２２は、例えば、プレート本体部５２１の上面中、Ｙ軸方向の中央部から突出して形成される。拡散板支持部５２２は、一例で、円柱形状、円錐形状等を有する。拡散板支持部５２２はランプリング本体部５１２の拡散板結合ホール５１２ｃに挿入され固定される。
【００９０】
前記プレート結合部は、プレート本体部５２１の上面に形成され、サポートランプリング５１０とサポートプレート５２０とを結合させる。前記プレート結合部は第１結合突起５２３、第２結合突起５２４及び結合リンク５２５を含む。
【００９１】
第１結合突起５２３はプレート本体部５２１の上面から突出され、ランプリング本体部５１２の結合ホール５１２ａと結合される。結合ホール５１２ａは、ランプリング部５１４間の中間位置に形成されており、対応するように、第１結合突起５２３はランプリング部５１４の間の中間位置に形成されることが望ましい。
【００９２】
第１結合突起５２３の頭は結合ホール５１２ａの直径よりすこし大きく形成されることが望ましい。この際、ランプリング本体部５１２の結合ホール５１２ａはサポートランプリング５１０が延性を有することにより、より大きい直径を有する第１結合突起５２３の頭を通過することができる。
【００９３】
このように、第１結合突起５２３の頭が結合ホール５１２ａの直径より少し大きく形成されることにより、サポートランプリング５１０がサポートプレート５２０からＺ軸方向に分離されることを防止することができる。
【００９４】
第２結合突起５２４はプレート本体部５２１の上面から突出され、ランプリング本体部５１２の結合溝５１２ｂと結合される。第２結合突起５２４は各ランプリング５１４と対応する位置に形成されることが望ましい。即ち、結合溝５１２ｂはランプリング部５１４と対応されるようにプレート本体部５２１の下面に形成され、第２結合突起５２４はプレート本体部５２１の下面に形成された結合溝５２１ｂに挿入される。
【００９５】
結合リンク５２５はプレート本体部５２１の両側エッジから突出されるように形成される。結合リンクはＵ−字形状を有し、Ｕ−字形状の開口部はプレート本体部５２１の中心に向かうように形成される。
【００９６】
結合リンク５２５のＵ−字形状の開口部にランプリング本体部５１２がはめ込まれるようにして、結合リンク５２５とランプリング本体部５１２の両端部とが結合され、サポートランプリング５１０がサポートプレート５２０から分離されることを防止する。即ち、結合リンク５２５はサポートランプリング５１０がサポートプレート５２０からＺ軸方向に分離されることを防止する。
【００９７】
固定突起部５２６はプレート本体部５２１の下面に突出して形成される。固定突起部５２６は収納容器１００の底部１１０に形成された固定ホール１１２と結合され、サポートプレート５２０を固定させる。
【００９８】
固定突起部５２６は、例えば、第１結合突起５２３と対応するようにプレート本体部５２１の下面に突出され形成されることが望ましい。固定突起部５２６は弾性を有するように内部に空間が形成されることが望ましく、固定突起部５２６は前記弾性によって固定ホール１１２と容易に結合できる。
【００９９】
本実施例によると、まず、ランプ２００がリング形状を有するランプリング部５１４に部分的に支持されることにより、ランプ２００とランプリング部５１４は最小限の面積で互いに接触する。その結果、接触部位を介して伝導される熱が減少し、ランプ２００の温度が局部的に低下し輝度不均一が発生ることを防止することができる。
【０１００】
第２に、ランプ支持部材５００が、延性を有しランプ２００を支持するサポートランプリング部５１０と、剛性を有しサポートランプリング５１０と結合されるサポートプレート５２０と、からなることにより、外部から印加された衝撃がランプ２００に移動することを防止することができる。
【０１０１】
また、ランプリング部５１４の下部が２つの部分に分離されスリット部５１６が形成されることにより、外部から印加された衝撃はスリット部５１６によって吸収され、ランプ２００に印加されることを防止することができる。
【０１０２】
<バックライトアセンブリの第２実施例>
図７は本発明の第２実施例によるバックライトアセンブリのうちランプ支持部材のみを示した断面図であり、図８は図７の‘Ｂ’部分を拡大して示した断面図である。本発明の第２実施例によるバックライトアセンブリはランプ支持部材を除いては、前述した第１実施例のバックライトアセンブリと同一の構成を有するのでその重複された説明は省略し、同一の構成要素については同一の参照符号及び名称を使用する。
【０１０３】
図７及び図８に示すように、本実施例によるランプ支持部材６００は支持本体部６１０、拡散板支持部６２０、ランプリング部６３０、スリット部６４０及び固定突起部６５０を含み、ランプ２００及び拡散板４１０を支持する。
【０１０４】
支持本体部６１０はプレート形状を有し、収納容器１００の底部１１０上に配置される。支持本体部６１０は、図１と同様にランプ２００と交差する方向に延長されて形成される。
【０１０５】
拡散板支持部６２０は、支持本体部６１０の上面に突出され、拡散板４１０を支持する。拡散板支持部６２０は、例えば、支持本体部６１０の上面中、Ｙ軸方向の中央部から突出され形成される。拡散板支持部６２０は、一例で、円柱形状、円錐形状等を有する。
【０１０６】
ランプリング部６３０は、支持本体部６１０の上面から複数個が突出して形成され、一例で、四つが形成される。ランプリング部６３０は、ランプ２００が貫通されランプ２００が支持されるようにリング形状を有する。この際、ランプリング部６３０のリング形状は収納容器１００の底部１１０と並行な方向の第１内側直径Ｂ１及び底部１１０と垂直な方向への第２内側直径Ｂ２を有する。
【０１０７】
第１内側直径Ｂ１は第２内側直径Ｂ２より大きいか同じであり、第２内側直径Ｂ２はランプ２００の直径Ｄより大きく、第１内側直径Ｂ１はランプ２００の直径Ｄに１．５ｍｍを足した長さより大きいか同じであることが望ましい。第２内側直径Ｂ２がランプ２００の直径Ｄより大きいと、ランプリング部６３０とランプ２００との接触面積を減らすことができ好ましい。また、第１内側直径Ｂ１と第１内側直径Ｂ２とを異ならせた場合、ランプリング部６３０により形成される空間は楕円形状になるため、空間がランプ２００と同様の円形状である場合よりも、ランプリング部６３０とランプ２００との接触面積を減らすことができ好ましい。
【０１０８】
ランプリング部６３０には、図８に示すようにランプリング部６３０の内側面から収納容器１００の底部１１０と並行な方向に突出された支持突起６３２が形成される。支持突起６３２の端部は、ランプ２００の外面と接触しランプ２００を支持する。支持突起６３２の突出された長さは、載置されたランプ２００がランプリング部５１４の中央部に配置されるように設計され、例えば０．５ｍｍ〜１．５ｍｍの範囲を有し、約１ｍｍであることが望ましい。各ランプリング部６３０に形成された支持突起６３２は互いに同一の方向に形成されることが望ましい。即ち、支持突起６３２はＹ軸方向に対して逆方向に形成される。
【０１０９】
このように、ランプリング部６３０がランプ２００の直径Ｄより大きく形成されたリング形状を有することにより、ランプリング部６３０はランプ２００と最小限の面積で接触されることができる。また、支持突起６３２によっても、ランプリング部６３０とランプ２００との接触面積が最小化されている。また、ランプリング部６３０の内側に支持突起６３２が形成されることにより、ランプ２００はランプリング部６３０の中央部位に配置されることができる。
【０１１０】
スリット部６４０はランプリング部６３０の下部に形成され、ランプリング部６３０を所定間隔に分離させる。即ち、ランプリング部６３０が内側面の下部中心から下方に２つの部分に分離されスリット６４０が形成される。スリット部６４０はランプリング部６３０の下部を２つの部分に分離させることで、外部の衝撃が例えばスリット部６４０の弾力性により吸収され、ランプ２００に移動することを防止する。また、図８に示すように、スリット部６４０が設けられることによっても、ランプリング部６３０とランプ２００との接触面積を減らすことができ好ましい。また、スリット部６４０上にランプが載置されることで、ランプを安定に載置することも可能である。
【０１１１】
固定突起部６５０は支持本体部６１０の下面に突出して形成される。固定突起部６５０は収納容器１００の底部１１０に形成された固定ホール１１２と結合され、ランプ支持部材６００を固定させる。固定突起部６５０は、例えば、ランプリング部の間の中間位置に対応するように支持本体部６１０の下面に突出して形成されることが望ましい。
【０１１２】
第１実施例によるランプ支持部材５００は、サポートランプリング５１０及びサポートプレート５２０の２つの部材を組み合わせることにより形成される。本実施例によるランプ支持部材６００は第１実施例によるランプ支持部材５００と異なり、一つの一体形に形成されることで、製作費用が減少され、収納容器１００の底面１１０と容易に結合分離できる。
【０１１３】
<バックライトアセンブリの第３実施例>
図９は本発明の第３実施例によるバックライトアセンブリのうちランプ支持部材のみを示した斜視図である。図１０は図９に示されたサポートプレートの背面斜視図である。本発明の第３実施例によるバックライトアセンブリはランプ支持部材を除いては、前述した第１実施例のバックライトアセンブリと同一の構成を有するのでその重複された説明は省略する。
【０１１４】
図９及び図１０に示すように、本実施例によるランプ支持部材１７０はサポートプレート１４０及びサポートランプリング１５０を含む。
【０１１５】
サポートプレート１４０はランプ（図示せず）の下部にランプと交差するように配置される。サポートプレート１４０はランプと交差する方向に延長されたプレート形状を有し、ランプと対応する位置にガイド溝１４１が形成される。
【０１１６】
具体的に、サポートプレート１４０の背面に所定の幅と深さを有する溝ａ３が形成される。前記溝ａ３はサポートプレート１４０の一側エッジａ１が開放されるように、前記一側エッジａ１から、一側エッジａ１と対向する他側エッジａ２に向かって形成される。また、前記溝ａ３の基底部には一側エッジａ１が解放されるように前記溝ａ３の幅より小さい幅で開口ａ４が形成される。それにより、前記溝ａ３及び前記開口ａ４からなる複数個のガイド溝１４１がランプに対応してサポートプレート１４０に形成される。
【０１１７】
一方、サポートプレート１４０の背面には、隣接するガイド溝１４１間に固定突起部１４３が形成され、サポートプレート１４０の上面中央部には拡散板支持部１４５が形成される。
【０１１８】
図１１は図９に示されたサポートランプリングの側面図である。
【０１１９】
図１１を参照すると、サポートランプリング１５０はランプリング部１５５及びランプリング本体部１６０を含む。
【０１２０】
ランプリング部１５５は閉曲線を成し、ランプリング部１５５内にランプが挿入されるとランプの周りを取り囲むように形成される。ランプリング部１５５の内側周りには固定突起１５７ａ、１５７ｂ、１５７ｃ、１５７ｄが形成される。固定突起１５７ａ、１５７ｂ、１５７ｃ、１５７ｄはランプリング部１５５上側に２つが形成され、ランプリング部１５５下側に２つがそれぞれ対称的に形成される。望ましくは、四つの固定突起１５７ａ、１５７ｂ、１５７ｃ、１５７ｄは相互間に一定の角度に離隔して配置される。
【０１２１】
固定突起１５７ａ、１５７ｂ、１５７ｃ、１５７ｄはランプの外周面に接触する。望ましくは、ランプの損傷を防止するために、４つの固定突起１５７ａ、１５７ｂ、１５７ｃ、１５７ｄのうち３つの固定突起がランプに接触し、残りの一つの固定突起は前記外周面と一定の間隔離隔されることが望ましい。この際、前記一つの固定突起とランプの外周面との離隔間隔は１ｍｍ以下になることが望ましい。
【０１２２】
また、固定突起１５７ａ、１５７ｂ、１５７ｃ、１５７ｄとランプとの接触面積を減少させるために、固定突起１５７ａ、１５７ｂ、１５７ｃ、１５７ｄの先端の大きさをその端部ほど小さくなるように形成する。ただし、ランプの損傷を防止するために、例えば、固定突起１５７ａ、１５７ｂ、１５７ｃ、１５７ｄの端部は、ラウンド処理された推形状を有することが望ましい。
【０１２３】
また、ランプの損傷を防止しランプから出射される光を透過させるために固定突起１５７ａ、１５７ｂ、１５７ｃ、１５７ｄ及びランプリング部１５５は延性が優れ、光透過率の優れた材質、例えば、シリコンからなることが望ましい。
【０１２４】
ランプリング本体部１６０はランプリング部１５５と一体に形成され、サポートプレート１４０のガイド溝１４１と結合する。ランプリング本体部１６０は、一例で、矩形形状を有する。
【０１２５】
図１２及び図１３はサポートプレートとサポートランプリングとの結合方式を示した斜視図である。
【０１２６】
図１２に示すように、ランプはランプリング部１５５に挿入され、ランプリング部１５５と一体に形成されたランプリング本体部１６０はサポートプレート１４０に形成されたガイド溝１４１に沿ってスライディングされガイド溝１４１に挿入される。この際、ランプリング部１５５はガイド溝１４１を成す前記開口ａ４を介してサポートプレート１４０の上面に露出される。
【０１２７】
ランプリング本体部１６０がガイド溝１４１から挿入方向と反対方向に離脱されないように、ガイド溝１４１とランプリング本体部１６０とが相互接触される面は表面粗さが大きく処理されることが望ましい。具体的に、ガイド溝１４１を成す溝ａ３の基底部及びランプリング本体部１６０の上面は相互摩擦係数が大きいように仕上げられることが望ましい。
【０１２８】
本実施例によると、ランプリング部１５５にはランプの外周面に沿って配置される固定突起１５７ａ、１５７ｂ、１５７ｃ、１５７ｄが形成され、固定突起１５７ａ、１５７ｂ、１５７ｃ、１５７ｄがランプに接触されることにより、ランプの上下左右方向への流動が防止される。その結果、ランプの位置変更によるバックライトアセンブリの出射光の輝度が不均一になることを防止することができる。
【０１２９】
また、固定突起１５７ａ、１５７ｂ、１５７ｃ、１５７ｄの構成に起因してランプとランプリング部１５５との接触面積が大きく減少し、ランプからランプリング部１５５に放出される熱量が大きく減少される。それにより、ランプのうちランプリング部１５５と接触される部分の温度が他の部分の温度より相対的に低くなって水銀が前記接着部分に局部的に偏ることで発生される暗部の発生が大きく減少される。
【０１３０】
<表示装置の実施例>
図１４は本発明の一実施例による表示装置を示した分解斜視図である。本発明の一実施例による表示装置のバックライトアセンブリは前述した第１実施例のバックライトアセンブリと同一の構成を有することでその重複された説明は省略し、同一の構成要素については同一の参照符号及び名称を使用することにする。
【０１３１】
図１４を参照すると、本実施例による表示装置１０００はバックライトアセンブリ７００、表示パネル８００及びトップシャーシ９００を含み、光を用いて画像を外部に表示する。
【０１３２】
表示パネル８００はバックライトアセンブリ７００の上部に配置され、バックライトアセンブリ７００から発生された光を情報が含まれたイメージ光に変更させる。表示パネル８００は第１基板８１０、第２基板８２０、液晶層８３０、印刷回路基板８４０及び可撓性回路基板８５０を含む。
【０１３３】
第１基板８１０は複数個がマトリックス形態に配置された画素電極、各画素電極に駆動電圧を印加する薄膜トランジスタ及び薄膜トランジスタをそれぞれ作動させるための信号線を含む。
【０１３４】
前記画素電極は透明で導電性のあるインジウム錫酸化物（ＩＴＯ）、インジウム亜鉛酸化物（ＩＺＯ）及びアモルファスインジウム錫酸化物（ａ−ＩＴＯ）などをフォトリソグラフィ工程によってパターニングされ形成される。
【０１３５】
第２基板８２０は第１基板８１０と向き合うように配置される。第２基板８２０は第２基板８２０の全面に配置され透明で導電性の共通電極及び画素電極と向き合うところに配置されたカラーフィルタを含む。
【０１３６】
前記カラーフィルタは白色光のうち赤色光を選択的に通過させる赤色カラーフィルタ、白色光のうち緑色光を選択的に通過させる緑色カラーフィルタ、及び白色光のうち青色光を選択的に通過させる青色カラーフィルタを含む。
【０１３７】
液晶層８３０は第１基板８１０と第１基板８２０との間に介在され、前記画素電極と前記共通電極との間に形成された電気場によって再配列される。再配列された液晶層８３０はバックライトアセンブリ７００で発生された光の光透過率を調節し、光透過率が調節された液晶層８３０を透過した光は前記カラーフィルタを介して通過され画像を表示する。
【０１３８】
印刷回路基板８４０は画像信号を処理する駆動回路ユニット（図示せず）を含み、駆動回路ユニットは外部から入力された画像信号を薄膜トランジスタＴＦＴを制御する駆動信号に変更させる。
【０１３９】
印刷回路基板８４０はデータ印刷回路基板とゲート印刷回路基板で構成される。前記データ印刷回路基板は可撓性回路基板８５０によってベンディングされ収納容器１００の側面または背面に配置され、前記ゲート印刷回路基板は他の可撓性回路基板８５０にベンディングされ収納容器１００の側面または背面に配置される。一方、前記ゲート印刷回路基板は第１基板８１０及び可撓性回路基板８５０にパッドの信号配線を形成することで、除去されることができる。
【０１４０】
可撓性回路基板８５０は印刷回路基板８４０と第１基板８１０とを電気的に連結し、印刷回路基板８４０で発生された前記駆動信号を第１基板８１０に提供する。可撓性回路基板８５０は、例えば、テープキャリアパッケージＴＣＰまたはチップオンフィルムＣＯＦである。
【０１４１】
トップシャーシ９００は表示パネル８００の端部位を取り囲み収納容器１００の側部１２０と結合され表示パネル８００をバックライトアセンブリ６００の上部に固定させる。トップシャーシ９００は外部から加えられた衝撃及び振動によって脆性の弱い表示パネル８００の破損または損傷を防止し、表示パネル８００が収納容器１００から離脱されることを防止する。
以上、説明した本発明によると、まず、ランプがリング形状を有するランプ支持部材に部分的に支持されることにより、ランプとランプ支持部材は最小限の面積で互いに接触することができ、その結果、ランプが局部的に温度が低下されて輝度不均一が発生することを防止することができる。
【０１４２】
第２に、ランプ支持部材が延性を有しランプを支持するサポートランプリング及び剛性を有しサポートランプリングと結合されるサポートプレートからなる２段構造を有することにより、外部から印加された衝撃がランプに移動することを防止することができる。
【０１４３】
第３に、ランプリング部の下部が２つの部分に分離されスリット部が形成されることにより、外部から印加された衝撃はスリット部によって吸収でき、それにより前記衝撃がランプに印加されることをさらに防止することができる。また、スリット部が設けられることによっても、スリット部ではランプの接触がないため、ランプリング部とランプとの接触面積を減らすことができ好ましい。また、スリット部上にランプが載置されることで、ランプを安定に載置することも可能である。
【０１４４】
最後に、ランプ支持部材が２段分離型ではなく一つの一体型に形成される場合、ランプ支持部材は製作費用がより減少され、収納容器の底部と容易に結合分離されて作業性が向上される。  
【０１４５】
以上、本発明の実施例によって詳細に説明したが、本発明はこれに限定されず、本発明が属する技術分野において通常の知識を有するものであれば本発明の思想と精神を離脱することなく、本発明を修正または変更できる。
【産業上の利用可能性】
【０１４６】
本発明は、各種ランプを用いる装置に適用可能である。
【図面の簡単な説明】
【０１４７】
【図１】本発明の第１実施例によるバックライトアセンブリを示した斜視図である。
【図２】図１のバックライトアセンブリをＩ−Ｉ‘線に沿って切断した断面図である。
【図３】図２の‘Ａ’部分を拡散して示した断面図である。
【図４】図１のバックライトアセンブリのうちランプ支持部材のみを抜粋して示した斜視図である。
【図５】図４のランプ支持部材を分解して示した分解斜視図である。
【図６】図５のランプ支持部材のうちサポートランプリングの背面を示した斜視図である。
【図７】本発明の第２実施例によるバックライトアセンブリのうちランプ支持部材のみを示した断面図である。
【図８】図７の‘Ｂ’部分を拡大して示した断面図である。
【図９】本発明の第３実施例によるバックライトアセンブリのうちランプ支持部材のみを示した斜視図である。
【図１０】図９に示されたサポートプレートの背面斜視図である。
【図１１】図９に示されたサポートランプリングの側面図である。
【図１２】サポートプレートとサポートランプリングとの結合方式を示した斜視図である。
【図１３】サポートプレートとサポートランプリングとの結合方式を示した斜視図である。
【図１４】本発明の一実施例による表示装置を示した分解斜視図である。
【符号の説明】
【０１４８】
１００      収納容器
２００      ランプ
３００      サイドモールド
４００      光学部材
５００、６００      ランプ支持部材
５１０      サポートランプリング
５１２      ランプリング本体部
５１４      ランプリング部
５１６      スリット部
５２０      サポートプレート
５２１      プレート本体部
５２２      拡散板支持部
５２３      第１結合突起
５２４      第２結合突起
５２５      結合リンク
５２６      固定突起部
７００      バックライトアセンブリ
８００      表示パネル
９００      トップシャーシ
１０００      表示装置
【図１】
2007115693.tif 000003
【図２】
2007115693.tif 000004
【図３】
2007115693.tif 000005
【図４】
2007115693.tif 000006
【図５】
2007115693.tif 000007
【図６】
2007115693.tif 000008
【図７】
2007115693.tif 000009
【図８】
2007115693.tif 000010
【図９】
2007115693.tif 000011
【図１０】
2007115693.tif 000012
【図１１】
2007115693.tif 000013
【図１２】
2007115693.tif 000014
【図１３】
2007115693.tif 000015
【図１４】
2007115693.tif 000016